(57)【要約】【課題】美観を考慮に入れつつ、照明器具等を吊り下げるハーネスの長さを調整する。【解決手段】プラグ１１６は、外部のシーリングコンセント１１４と接合する。ハーネス１０６は、プラグ１１６に取り付けられ、重量物を吊り下げる。保持部材１１２は、ハーネス１０６を保持する。カバー１０８は、保持部材１１２とハーネス１０６の一部を収容する。保持部材１１２は、ハーネス１０６を巻き取った状態でハーネス１０６を保持することにより、カバー１０８から露出するハーネス１０６の長さを維持する。保持部材１１２は、側面に開口を有する中空の部材であって、中空部分を貫通するハーネス１０６の一部は開口から引き出される。スカート１１０は、カバー１０８の側面に取り付けられ、カバー１０８とシーリングコンセント１１４の境目を隠す。【選択図】図２
2016018696.tif 000002
【特許請求の範囲】
【請求項１】
外部の固定部材と接合する接合部材と、
前記接合部材に取り付けられ、重量物を吊り下げるハーネスと、
前記ハーネスを保持する保持部材と、
前記保持部材に固定されるとともに、前記保持部材と前記ハーネスの一部を収容するカバーと、を備え、
前記保持部材は、前記カバーから露出する前記ハーネスの長さを調整可能にて保持することを特徴とするハーネス保持装置。
【請求項２】
前記保持部材は、前記ハーネスを巻き取った状態で前記ハーネスを保持することにより、前記カバーから露出する前記ハーネスの長さを維持することを特徴とする請求項１に記載のハーネス保持装置。
【請求項３】
前記保持部材は、側面に開口を有する中空の部材であって、中空部分を貫通する前記ハーネスの一部を前記開口から引き出すことにより前記カバーから露出する前記ハーネスの長さを調整することを特徴とする請求項１または２に記載のハーネス保持装置。
【請求項４】
前記保持部材は、前記中空部分において前記ハーネスを挟むとともに、前記開口においても前記ハーネスを上下から挟み込むことにより、前記中空部分と前記開口の双方によって前記ハーネスを保持することを特徴とする請求項３に記載のハーネス保持装置。
【請求項５】
前記カバーの側面に取り付けられ、前記カバーと前記固定部材の境目を隠すスカート部材、を更に備えることを特徴とする請求項１から４のいずれかに記載のハーネス保持装置。
【請求項６】
前記固定部材は、天井に固定されるシーリングコンセントであり、
前記ハーネスは、照明を吊り下げる電源コードであることを特徴とする請求項１から５のいずれかに記載のハーネス保持装置。
【請求項７】
ハーネスで吊下される電気装置を天井に取り付ける方法であり、
前記ハーネスの一端にあるコンセントカプラをシーリングコンセントに取り付け、
ハーネス長の調整器に、余ったハーネスを収容して固定しつつ、その固定の作用により前記調整器をコンセントカプラに当接せしめ、
前記コンセントカプラにハーネスを隠すカバーを係止することを特徴とする装置取付方法。
【発明の詳細な説明】
【技術分野】
【０００１】
本発明は、照明器具などの重量物をハーネスによって吊り下げる構造に関し、特に、ハーネスの長さを調整するための構造に関する。
【背景技術】
【０００２】
照明器具の中には、シーリングコンセント（配線用差込接続器）と接続して、ハーネスを介して吊り下げるタイプ（以下、「吊り下げ照明」とよぶ）がある。吊り下げ照明は、ペンダントライトともよばれる。
【０００３】
吊り下げ照明は、デザイン自由度が高いので個性を主張しやすい（たとえば、特許文献１参照）。その代わり、天井から吊り下げる分、照射範囲は狭い。吊り下げ照明は、主照明としてよりも副照明として使われることが多い。
【０００４】
ハーネスは、あくまでも照明器具の付属品でありその長さは照明器具ごとに決まっている。ハーネスは電源コードでもあるため、切断して短縮するわけにはいかない。そこで、ハーネスを短くして使いたいときのために、ハーネスの一部を収容器具にまとめて収納することもある（特許文献２参照）。
【先行技術文献】
【特許文献】
【０００５】
【特許文献１】特開２０１３−１２７９２７号公報
【特許文献２】特開２００９−２５９４０６号公報
【発明の概要】
【発明が解決しようとする課題】
【０００６】
特許文献２のようにハーネスの途中に収納器具がぶら下がるのは美観上好ましくない。このような問題に対応するために、シーリングコンセントを隠す位置に定着して、ここに余ったハーネスを収納するカップ型の収納容器（以下、単に「カップ」とよぶ）もある。しかし、このようなカップはハーネスの一箇所を挟むことでハーネスに固定されるものであるため、カップを天井に隙間なく定着しづらい。特に、ハーネスが長い場合にはカップが大型化するため、カップはずり下がってきやすくなる。
【０００７】
カップをハーネスではなく、シーリングコンセントなどの固定部材に固定させればカップを安定させることは可能である。しかし、シーリングコンセントの形状はさまざまであるため、シーリングコンセントの種類によってはカップを取り付けられないという別の問題が生じる。
【０００８】
本発明はこうした課題に鑑みてなされたものであり、その主たる目的は、美観を考慮に入れつつ、照明器具等を吊り下げるハーネスの長さを調整するための技術、を提供することにある。
【課題を解決するための手段】
【０００９】
本発明のある態様のハーネス保持装置は、外部の固定部材と接合する接合部材と、接合部材に取り付けられて重量物を吊り下げるハーネスと、ハーネスを保持する保持部材と、前記保持部材に固定されるとともに、保持部材とハーネスの一部を収容するカバーを備える。保持部材は、カバーから露出するハーネスの長さを調整可能にて保持する。
【発明の効果】
【００１０】
本発明によれば、照明器具等をハーネスで吊り下げるときに、ハーネスの長さ調整にともなう見た目上の違和感を効果的に減殺できる。
【図面の簡単な説明】
【００１１】
【図１】照明装置の外観模式図である。
【図２】接続装置の斜視図（その１）である。
【図３】接続装置の斜視図（その２）である。
【図４】図４（ａ）は、接続装置の側面断面図である。図４（ｂ）は、図４（ａ）のＡ−Ａ線における接続装置の平面断面図である。
【図５】接続装置の斜視図（その３）である。
【図６】接続装置の斜視図（その４）である。
【発明を実施するための形態】
【００１２】
図１は、照明装置１００の外観模式図である。
照明装置１００は、吊り下げ照明であり、発光体である照明体１０２と、照明体１０２の電源コードであるハーネス１０６と、ハーネス１０６を介して照明体１０２を天井に固定する接続装置１０４を含む。
【００１３】
接続装置１０４（調整器）はカバー１０８と、カバー１０８の外側面の一部を覆うリング状のスカート１１０を含む。天井に取り付けられるシーリングコンセントとハーネス１０６は、カバー１０８の内部において接続されている。
【００１４】
ハーネス１０６の一部は、カバー１０８の内部に収容される。以下、ハーネス１０６のうち、カバー１０８の外に露出する部分を「露出ハーネス」とよびその長さを特に「実効長」とよぶことにする。また、ハーネス１０６のうちカバー１０８に収容される部分を「収容ハーネス」とよぶことにする。各部構造の詳細は後述するが、収容ハーネスの長さは可変であるため、実効長は任意に調整できる。利用者は、所望の実効長に応じて、収容ハーネスの長さを決定する。また、接続装置１０４は収容ハーネスを内部で強く保持できるため、調整後の実効長は照明体１０２のような重量物を吊り下げても維持される。
【００１５】
接続装置１０４は、シーリングコンセントを覆うカバー１０８の中にさりげなくハーネス１０６の一部も隠すため、利用者に長さ調整にともなう違和感をもたせない。
【００１６】
図２は、接続装置１０４の斜視図である。
以降の図２，３，５，６は、いずれも図１とは天地逆で示している。スカート１１０については図４以降に関連して説明し、まずは、接続装置１０４の内部構造を中心として説明する。
【００１７】
カバー１０８は、カバー１０８ａ，１０８ｂの２つのパーツに分離する。シーリングコンセント１１４は、天井に取り付けられる配線用差込接続器（固定部材）である。プラグ１１６（コンセントカプラ）は、照明装置１００の一部であり、シーリングコンセント１１４と接合する差込プラグ（接合部材）である。プラグ１１６にはハーネス１０６（電源コード）がつながっており、シーリングコンセント１１４からプラグ１１６、ハーネス１０６を介して照明体１０２に電力が供給される。
【００１８】
接続装置１０４は、保持部材１１２を内蔵する。保持部材１１２は、ハーネス１０６を導くとともに、ハーネス１０６の長さを調整可能に維持する。収容ハーネスは、保持部材１１２の中空部１１８（後述）を通るとともに、余り部分は保持部材１１２に巻き付けられる。この巻き付け量の大きさに応じて実効長が決まる。保持部材１１２は、収容ハーネスを巻き付けられた状態で、収容ハーネスを強く保持する。
【００１９】
図３も、接続装置１０４の斜視図である。図３では、保持部材１１２の構造が見えやすいように収容ハーネスの一部を削除して描いている。
保持部材１１２は長軸方向（ｚ方向）に延伸し、同じく長軸方向に延伸する中空部１１８（溝）を有する。また、保持部材１１２の側面には、第１孔１２２および第２孔１２０という二つの孔（開口）を有する。プラグ１１６に接続されるハーネス１０６は、中空部１１８に嵌め込まれ、第１孔１２２から外に引き出され、第２孔１２０から再び保持部材１１２の内部に戻され、中空部１１８に再び嵌め込まれ、カバー１０８のカバー孔１２４から外に引き出される。収容ハーネスのうち、第１孔１２２から引き出され第２孔１２０に戻るまでの部分（以下、「余剰分」とよぶ）が図２に示されていたように保持部材１１２に巻き付けられる。余剰分の巻き付けは必須ではなく、余剰分はカバー１０８の内部に収容されればよい。保持部材１１２にフックなど突起を設け、ここに余剰分を引っかけることで収容ハーネスを保持部材１１２に安定させてもよいし、カバー１０８の内壁にフックを設け、余剰分をそこに引っかけてもよい。
【００２０】
図４（ａ）は、接続装置１０４の側面断面図である。図４（ｂ）は、図４（ａ）のＡ−Ａ線における平面断面図である。
上述したように、収容ハーネスの余剰分は第１孔１２２から引き出されて保持部材１１２に巻き付けられたあと第２孔１２０から保持部材１１２の内部に戻される。収容ハーネスの残りの部分は中空部１１８に嵌め込まれる。中空部１１８の径はハーネス１０６の径と同一またはそれ以下であり、収容ハーネスは中空部１１８において強く挟み込まれる。収容ハーネスは保持部材１１２の内壁に強く挟み込まれ、かつ、第２孔１２０と第１孔１２２で強く曲げられることでしっかりと保持部材１１２に固定される。
以上のように、余剰分の長さ（余剰分の巻き付け量）によって実効長が調整され、収容ハーネスと保持部材１１２の挟み込む力により実効長が維持される。
【００２１】
カバー１０８は、カバー孔１２４において保持部材１１２に嵌め込まれる。カバー１０８は保持部材１１２に固定され、保持部材１１２は上述のようにハーネス１０６に強く保持され、ハーネス１０６はプラグ１１６とシーリングコンセント１１４に固定される。このような構造により、カバー１０８を天井面１３０に対して安定的に定着させることができる。保持部材１１２は、プラグ１１６に固定される必要はないが、プラグ１１６と接触する位置にてハーネス１０６に固定されることが好ましい。保持部材１１２をハーネス１０６に固定するとともに、保持部材１１２をプラグ１１６に対して安定的に接触させることで、保持部材１１２とカバー１０８と天井面１３０の位置関係を安定させることができる。
【００２２】
ハーネス１０６と保持部材１１２の内壁との摩擦力を高めるために、弾性樹脂により形成したハーネス１０６を、細い中空部１１８に強く押し込んでもよい。あるいは、保持部材１１２を弾性樹脂により形成してもよい。保持部材１１２の内壁に細かい突起を設け、この突起をハーネス１０６に食い込ませることにより保持部材１１２の保持力を高めてもよい。中空部１１８は、上部保持部１２６と下部保持部１２８に分けることができるが、ハーネス１０６および照明体１０２の重量が大きくかかるのは下部保持部１２８なので、下部保持部１２８の長さが上部保持部１２６の長さよりも大きくなるように第１孔１２２と第２孔１２０の位置を天井側に形成してもよい。
しかも、ハーネス１０６を引っ張る力は第１孔１２２や第２孔１２０の側面にもかかるので、これらの開口もハーネス１０６の保持に寄与する。第１孔１２２や第２孔１２０の径もハーネス１０６の径と同一またはそれ以下にして、第１孔１２２や第２孔１２０もハーネス１０６を強く挟み込んでもよい。
【００２３】
保持部材１１２とプラグ１１６とが密着されている場合、照明体１０２が揺れると、ハーネス１０６に固定されている保持部材１１２も連動して揺れてしまう。これにより、保持部材１１２の端面の外周部分とプラグ１１６との接触箇所を支点とする、てこの原理でハーネス１０６に引っ張り力が生じてしまう。過剰な引っ張り力が働くことで、ハーネス１０６が断線したり、ハーネス１０６に対する保持部材１１２の固定位置がずれたりする可能性がある。そこで、保持部材１１２のプラグ１１６側の端部は、プラグ１１６側が凸面になるように曲面状に形成されている。これにより、照明体１０２が揺れた場合でもハーネス１０６に生じる過剰な引っ張り力を抑制できる。
【００２４】
以上をまとめると、ハーネス１０６とつながるプラグ１１６は、シーリングコンセント１１４と接続され、収容ハーネスは保持部材１１２の中空部１１８に嵌め込まれる。収容ハーネスの余剰分は第１孔１２２および第２孔１２０から引き出されて保持部材１１２に巻き付けられる。シーリングコンセント１１４、プラグ１１６、保持部材１１２および収容ハーネスはカバー１０８によって外部から遮蔽される。カバー１０８は、保持部材１１２と嵌め込み結合する。なお、保持部材１１２はプラグ１１６と固定的に結合されてもよいし、脱着可能に結合されてもよい。また、カバー１０８は、保持部材１１２ではなく、プラグ１１６と結合してもよい。
【００２５】
上述の構造により、カバー１０８は天井面１３０に対して安定的に固定される。それでも、カバー１０８と天井面１３０に若干の隙間が生じる可能性はゼロではない。カバー１０８と天井面１３０に隙間があると、隙間からシーリングコンセント１１４がのぞいてしまい、美観上、好ましくない。そこで、カバー１０８の外側面にリング状のスカート１１０を取り付けることで、このような隙間を隠す。具体的には、カバー１０８の外側面の一部にはネジ溝が形成されており、スカート１１０の内側面にもネジ溝が形成されている（図５参照）。より具体的には、カバー１０８のネジ溝は二重螺旋になっている。二重螺旋にすることで、カバー１０８ａ、１０８ｂの２つのパーツをつなげたときにネジ溝をスムーズに噛み合わせることができる。カバー１０８を天井面１３０に取り付けたあとの隙間を隠すようにスカート１１０の位置を調整すればよい（図６参照）。長年の使用にともない、照明体１０２の重量によってハーネス１０６が多少、たとえば、数ミリメートル程度引き出され、その結果としてカバー１０８がずり下がってきたとしても、スカート１１０を位置調整するだけで天井と接続装置１０４の隙間を簡単に隠すことができる。
【００２６】
以上、実施形態にもとづいて照明装置１００、特に、接続装置１０４のハーネス保持構造を中心として説明した。
接続装置１０４によれば、吊り下げ照明において、ハーネス１０６の本来の長さよりも実効長を短くできる。実効長を調整することにより、照明装置１００が設置される空間における照明効果、すなわち、照明範囲や照明強度を自由に変化させることができる。また、実効長を短くした分、余ったハーネス１０６（収容ハーネス）をカバー１０８の中に収容するため、利用者にハーネス１０６の余りという不要部分を見せなくてもすむ。
【００２７】
ハーネス１０６の実効長を大きく変化させるためには、ハーネス１０６の本来の長さは長い方がよい。しかし、ハーネス１０６が長くなるとそれだけ収容ハーネスが長くなる。従来のカップに収容するタイプの場合、収容ハーネスを丸めて収納するためほどけやすく、カップも大型になりがちだった。しかし、本実施形態における接続装置１０４では、収納ハーネスを保持部材１１２にきつく巻き付ける方式であるため、カバー１０８をコンパクトにできる。
【００２８】
収容ハーネスを、保持部材１１２の中空部１１８や第２孔１２０、第１孔１２２によって支えることにより、調整後の実効長は安定的に維持される。接続装置１０４は、天井にぴったりと取り付けられるオブジェであるため、利用者が違和感をもちにくい。更に、スカート１１０によって、接続装置１０４と天井があたかも一体であるかのように、接続装置１０４と天井の隙間を効果的に隠すことができる。
【００２９】
本発明の実施の形態は例示であり、いろいろな変形および変更が本発明の特許請求範囲内で可能なこと、またそうした変形例および変更も本発明の特許請求の範囲にあることは当業者に理解されるところである。したがって、本明細書での記述および図面は限定的ではなく例証的に扱われるべきものである。
【００３０】
ハーネス１０６によって吊り下げ対象となるのは照明体１０２には限られない。壺や彫像などの飾り、植木鉢などさまざまな対象物についても本発明は応用可能である。天井からひもやチェーンで吊り下げるタイプの吊り棚などにも応用可能である。
【００３１】
本実施形態においては天井にとりつけられる部材にハーネス１０６を収容したが、照明体１０２が特に大きいときには、照明体１０２に取り付けられる部材にハーネス１０６を同様の構造により収容してもよい。
【符号の説明】
【００３２】
１００  照明装置、  １０２  照明体、  １０４  接続装置、  １０６  ハーネス、  １０８  カバー、  １１０  スカート、  １１２  保持部材、  １１４  シーリングコンセント、  １１６  プラグ、  １１８  中空部。
【図１】
2016018696.tif 000003
【図２】
2016018696.tif 000004
【図３】
2016018696.tif 000005
【図４】
2016018696.tif 000006
【図５】
2016018696.tif 000007
【図６】
2016018696.tif 000008